(57)【要約】【課題】簡素な構造で確実にフレキシブルプリント配線板の先端部分を雄ハウジングに固定できるようにする。【解決手段】フレキシブルプリント配線板１を固定した雄ハウジング２と、電線６を固定した雌ハウジング８との嵌合によって、前記フレキシブルプリント配線板と電線とを中継接続するフレキシブルプリント配線板用コネクタにおいて、末広形状の一対の押え部材３ａ，３ｂをヒンジ４ａ，４ｂにて雄ハウジング２の挿入口２１に取り付けるとともに、前記一対の押え部材３ａ，３ｂの外周に環状のスライド部材５を取り付け、前記スライド部材５のスライドによって一対の押え部材３ａ，３ｂによるフレキシブルプリント配線板１の挟み込みを解除・固定するように構成した。【選択図】  図３
2007250264.tif 000002
【特許請求の範囲】
【請求項１】
フレキシブルプリント配線板（１）を固定した雄ハウジング（２）と、電線（６）を固定した雌ハウジング（８）との嵌合によって、前記フレキシブルプリント配線板と電線とを中継接続するフレキシブルプリント配線板用コネクタにおいて、
末広形状の一対の押え部材（３ａ，３ｂ）をヒンジ（４ａ，４ｂ）にて雄ハウジング（２）の挿入口（２１）に取り付けるとともに、前記一対の押え部材（３ａ，３ｂ）の外周に環状のスライド部材（５）を取り付け、
前記スライド部材（５）のスライドによって一対の押え部材（３ａ，３ｂ）によるフレキシブルプリント配線板（１）の挟み込みを解除・固定するように構成したことを特徴とするフレキシブルプリント配線板用コネクタの取付構造。
【請求項２】
フレキシブルプリント配線板の先端部分に補強板（９）を取り付けたことを特徴とする請求項１に記載のフレキシブルプリント配線板用コネクタの取付構造。
【発明の詳細な説明】
【技術分野】
【０００１】
本発明は、雄ハウジングと雌ハウジングの嵌合によって、フレキシブルプリント配線板と電線とを中継接続するフレキシブルプリント配線板用コネクタにおいて、フレキシブルプリント配線板の先端部分を雄ハウジングに固定するためのフレキシブルプリント配線板用コネクタの取付構造に関する。
【背景技術】
【０００２】
電装品が搭載されたインスツルメントパネル，センターコンソール，ドアといったモジュールにフレキシブルプリント配線板（以下、ＦＰＣという）を適用し、このモジュール内でＦＰＣと前記電装品と接続する場合、もともと電装品はワイヤハーネス用（電線用）のコネクタが結合される構造となっているので、これと構造を一致させたＦＰＣ専用のコネクタを新規に起こさねばならず、これがコストアップとなっていた。そこで、ＦＰＣと電線を中継接続し、電装品と電気的に接続する必要がある。
【０００３】
図４は、ＦＰＣ１と電線６とを中継接続するＦＰＣ用コネクタ１００を示す図である。
図４に示すように、雄ハウジング２と雌ハウジング８の嵌合によってＦＰＣ１と電線６を中継接続するＦＰＣ用コネクタ１００では、雄ハウジング２にＦＰＣ１を固定するとともに、雌ハウジング８に電線６を固定する。
雄ハウジング２内には、挿入口２１から挿入されたＦＰＣ１の先端部分を水平に支持する支持板２２が形成されている。なおＦＰＣ１の表面には導体パターン１ａを保護するための絶縁層１ｂが被覆され、ＦＰＣ先端では電線６との導通性を図るために導体パターン１ａが露出している。
雌ハウジング８内には、雌雄ハウジングを嵌合したときに、雄ハウジング２の支持板２２に支持されているＦＰＣ先端の露出している導体パターン１ａに圧接される金具（ターミナル）７が固定されている。
そして雌ハウジング内の金具（ターミナル）７に電線６の導体部分を取り付けることによって、前記雄雌ハウジング２，８を嵌合したときに、電線６を取り付けた金具（ターミナル）７が、ＦＰＣ１の導体パターン１ａに圧接し、ＦＰＣ１と電線６とが導通する。
なお従来技術によるＦＰＣ用コネクタ１００では、雄ハウジング２の挿入口２１付近に突起部材２３を形成するとともに、ＦＰＣ１に前記突起部材２３が係合する開口孔１ｃを形成しておき、前記突起部材２３と開口孔１ｃとの係合によって、雄ハウジング２にＦＰＣ１を固定していた。（例えば、特許文献１を参照）
【特許文献１】実開平１−１６１５８３号公報（図２）
【発明の開示】
【発明が解決しようとする課題】
【０００４】
しかしながら、雄ハウジングの突起部材２３とＦＰＣ１の開口孔１ｃとの係合によって雄ハウジングとＦＰＣとを固定したＦＰＣ用コネクタの取付構造では、突起部材２３を高くすると挿入口２１からＦＰＣ１を挿入しずらく、突起部材２３を低くすると、ＦＰＣ１の開口孔１ｃ内から突起部材２３が簡単に外れてしまい、雄コネクタ２とＦＰＣ１の固定が不十分であるため、引張力がかかると抜け易いといった問題点があった。
【０００５】
そこで、本発明は、簡素な構造で確実にＦＰＣを雄ハウジングに固定できるＦＰＣ用コネクタの取付構造を提供することを目的とする。
【課題を解決するための手段】
【０００６】
上述の目的を達成するため、本発明は、ＦＰＣを固定した雄ハウジングと、電線を固定した雌ハウジングとの嵌合によって、前記ＦＰＣと電線とを中継接続するＦＰＣ用コネクタにおいて、末広形状の一対の押え部材をヒンジにて雄ハウジングの挿入口に取り付けるとともに、前記一対の押え部材の外周に環状のスライド部材を取り付け、前記スライド部材のスライドによって一対の押え部材によるＦＰＣの挟み込みを解除・固定するように構成したものである。
【発明の効果】
【０００７】
本発明によれば、ＦＰＣを固定した雄ハウジングと、電線を固定した雌ハウジングとの嵌合によって前記ＦＰＣと電線とを中継接続するＦＰＣ用コネクタにおいて、雄ハウジングの挿入口にヒンジで取り付けた一対の押え部材の外周に設けた環状のスライド部材を、付根側から先端側にスライドすることによって、末広形状の一対の押え部材によるＦＰＣの先端部分の挟み込みを解除・固定する。そして、前記スライド部材を先端側にスライドすることによって押え部材に挟み込まれたＦＰＣの先端部分は、前記スライド部材を付根側にスライドさせないと挟み込みが解除されない構造となっているため、雄ハウジングからＦＰＣの抜けを防止することができる。
つまり本発明によるＦＰＣ用コネクタの取付構造では、簡素な構造で確実にＦＰＣを雄ハウジングに固定でき、ＦＰＣが引っ張られてもコネクタからＦＰＣが抜けることなく、ＦＰＣと電線の中継接続を確実なものとすることができる。
【発明を実施するための最良の形態】
【０００８】
以下に、本発明の好適な実施形態について、図面を参照にして説明する。
【０００９】
図１の断面図を参照して、ＦＰＣ１と電線６とを中継接続するＦＰＣ用コネクタ１０について説明する。
雄ハウジング２と雌ハウジング８の嵌合によってＦＰＣ１と電線６を中継接続するＦＰＣ用コネクタ１０では、雄ハウジング２にＦＰＣ１を固定するとともに、雌ハウジング８に電線６を固定する。
【００１０】
本発明によれば、雄ハウジング２にＦＰＣ１を固定するため、雄ハウジング２の挿入口２１に、末広形状の一対の押え部材３ａ，３ｂをヒンジ４ａ，４ｂにて取り付けるとともに、前記一対の押え部材３ａ，３ｂの外周に環状のスライド部材５を取り付けた。
ＦＰＣ１の先端部分が挿入される挿入口２１を挟んで対向するように取り付けた前記一対の押え部材３ａ，３ｂには、その対向面にそれぞれ把持面３０ａ，３０ｂが形成されている。
そして前記ヒンジ４ａ，４ｂにて取り付けた一対の押え部材３ａ,３ｂを可動させることによって、対峙する把持面３０ａ，３０ｂの間隔を開閉させ、この２つの把持面３０ａ，３０ｂの間に配置されるＦＰＣ１の先端部分を挟持するように構成するとともに、末広形状の一対の押え部材３ａ，３ｂを束ねるようにして取り付けた環状のスライド部材５をスライドさせることによって、前記一対の押え部材３ａ，３ｂによるＦＰＣ１の挟み込みを解除・固定するように構成した。
【００１１】
図１に示す雄ハウジング２では、一対の押え部材３ａ，３ｂそれぞれを、挿入口２１から延びる水平線に対して上下対称になるように取り付け、把持面３０ａ，３０ｂを対峙させるとともに、前記一対の押え部材３ａ，３ｂの厚みを、押え部材の付根側から先端側に向かって徐々に厚くなるように変化させ、この末広形状の一対の押え部材３ａ，３ｂの外周に環状のスライド部材５を取り付けた。
そして図２（ａ）に示すように、末広形状の押え部材３ａ，３ｂの外周に取り付けた環状のスライド部材５を、押え部材の付根側から先端側の間でスライドさせることによって、前記一対の押え部材３ａ，３ｂによるＦＰＣ１の挟み込みを固定・解除するように構成した。
例えば、前記スライド部材５を付根側から先端側に向かってスライドさせると、対峙する把持面３０ａ，３０ｂの間隔が閉じ、ＦＰＣ１の先端部分が一対の押え部材３ａ，３ｂによって挟み込まれ、雄ハウジング２にＦＰＣ１が固定される。また例えば、前記スライド部材５を先端側から付根側に向かってスライドさせると、前記一対の押え部材３ａ，３ｂによるＦＰＣ１の挟み込みが解除される。
【００１２】
なお雄ハウジング２に固定されるＦＰＣ１の表面には、導体パターン１ａを保護するための絶縁層１ｂが被覆され、ＦＰＣ先端では電線６との導通性を図るために導体パターン１ａが露出している。
またこの実施例では、図２（ｂ）に示すように、ＦＰＣ１の先端部分の裏面（導体パターン１ａが形成された面の反対側）に、金属あるいはガラスエポキシ樹脂などの剛性材料からなる補強板９を取り付けた。
そして、ＦＰＣ１の先端部分を一対の押え部材３ａ，３ｂで上下から挟み込む際、前記補強部材９を取り付けた部分を、押え部材の把持面３０ａ，３０ｂで挟持することによって、ＦＰＣの端子部（先端部分）に損傷を与えないようにした。さらにまた、前記補強板９を取り付けたＦＰＣ１の先端部分を挿入口２１からハウジング内に挿入したことによって、従来技術の雄ハウジング（図４を参照）のようにハウジング内に支持板２２を設けなくても、挿入口２１から雄ハウジング２内に挿入されたＦＰＣ１の先端部分を撓ませることなく水平に維持することができる。
【００１３】
なお前記雄ハウジング２と嵌合する雌ハウジング８のハウジング内には、電線６を固定するための金具（ターミナル）７が固定されている。この雌ハウジング８の構成は従来技術と同様である。
そして、雌雄ハウジング２，８を嵌合したとき、電線６の導体部分を取り付けた前記金具（ターミナル）７を雄ハウジング内に挿入されているＦＰＣ１の先端部分に圧接させ、ＦＰＣ１と電線６をと導通させる（図１を参照）。
つまり、裏面に取り付けた補強板９によって雄ハウジング２内で水平に維持されているＦＰＣ１の先端部分に対して、雌ハウジング８内の電線６を取り付けた金具（ターミナル）７を対峙させ、ＦＰＣ先端で露出している導体パターン１ａに対して前記金具（ターミナル）７を圧接することによって、ＦＰＣ１と電線６とを導通させる。
【００１４】
図３を参照して、ＦＰＣ１の先端部分を雄ハウジング２に固定する構造について説明する。
図３（ａ）に示すように、末広形状の一対の押え部材３ａ，３ｂの付根側にスライド部材５をスライドさせた場合、付根側では押え部材３ａ，３ｂの厚み（外径）がスライド部材５の内径よりも小さいため、ヒンジ４ａ，４ｂによって取り付けた一対の押え部材３ａ，３ｂによるＦＰＣ１の挟み込みが解除される。
そして対峙する把持面３０ａ，３０ｂの間隔が開いた状態となり、前記把持面３０ａ，３０ｂの間を通って、挿入口２１からＦＰＣ１の先端部分をハウジング内に挿入することができる。
【００１５】
図３（ｂ）に示すように、末広形状の一対の押え部材３ａ，３ｂの先端側にスライド部材５をスライドさせ、ＦＰＣ１を挟み込んだ一対の押え部材３ａ，３ｂの厚み（外径）がスライド部材５の内径と同等になる箇所まで前記スライド部材５を移動させることによって、ヒンジ４ａ，４ｂによって取り付けた前記一対の押え部材３ａ，３ｂによるＦＰＣ１の挟み込みが固定される。
つまり対峙する把持面３０ａ，３０ｂの間隔が閉じた状態となり、前記把持面３０ａ，３０ｂでＦＰＣ１の先端部分を挟持した状態で、一対の押え部材３ａ，３ｂによる挟み込みを固定することによって、ＦＰＣ１を雄ハウジング２に固定する。
【００１６】
なおスライド部材５を付根側にスライドさせないと、一対の押え部材３ａ，３ｂによる挟み込みが解除されず、把持面３０ａ，３０ｂの間隔も開くことがないので、ＦＰＣ１の先端部分を把持面３０ａ，３０ｂの間を通って挿入口２１からハウジング内に挿入した後、スライド部材５を先端側にスライドさせ、一対の押え部材３ａ，３ｂでＦＰＣ１を挟み込むことにとによって、雄ハウジング２からＦＰＣ１の抜けを防止することができ、確実にＦＰＣ１を雄ハウジング２に固定することができる。これによってＦＰＣが引っ張られてもコネクタからＦＰＣが抜けることなく、ＦＰＣと電線の中継接続を確実なものとすることができる。
【図面の簡単な説明】
【００１７】
【図１】本発明の実施例によるＦＰＣ用コネクタを説明する断面図。
【図２】雄ハウジングとＦＰＣの固定を説明する斜視図。
【図３】雄ハウジングとＦＰＣの固定を説明する断面図。
【図４】従来技術によるＦＰＣ用コネクタを説明する断面図。
【符号の説明】
【００１８】
１    ＦＰＣ（フレキシブルプリント配線板）
１ａ  導体パターン
１ｂ  絶縁層
２    雄ハウジング
２１  挿入口
３ａ，３ｂ  一対の押え部材
３０ａ，３０ｂ  把持面
４ａ，４ｂ  ヒンジ
５    スライド部材
６    電線
７    金具（ターミナル）
８    雌ハウジング
９    補強板
１０  ＦＰＣ用コネクタ
【図１】
2007250264.tif 000003
【図２】
2007250264.tif 000004
【図３】
2007250264.tif 000005
【図４】
2007250264.tif 000006